(57)【要約】      （修正有）【課題】吸排熱能力の低い比較的小型の室外機を設置しても工場内の各作業領域を支障なく冷暖房でき、設備コスト及びランニングコストを軽減し、効果的な冷暖房ができるようにする。【解決手段】熱交換器と送風ファンとからなる複数の室内機２ａ〜２ｄと、各室内機の吹出口５ａ〜５ｄの付近にそれぞれ設けた人感センサー７ａ〜７ｄと、各室内機に冷媒を循環させる１台の室外機８と、室内機および室外機の運転を制御する制御盤１２とを具備し、室内機２ａ〜２ｄを工場内の各作業領域Ａ〜Ｄに設置し、制御盤１２は人感センサー７ａ〜７ｄにより人の存在が検知されるとその検知順に作業領域Ａ〜Ｄの室内機２ａ〜２ｄを人の存在が検知されなくなるまで運転させると共に、同時に複数の室内機が運転されることにより室外機８の吸排熱能力が不足するおそれがあるときには人感センサー７ａ〜７ｄが人を検知しても室内機２ａ〜２ｄを停止状態に留めるよう制御する。【選択図】図１
2008175507.tif 000002
【特許請求の範囲】
【請求項１】
熱交換器と送風ファンとからなる複数の室内機と、該各室内機の吹出口の付近にそれぞれ設けた人感センサーと、該各室内機の熱交換器に冷媒を循環させる１台の室外機と、前記室内機および室外機の運転を制御する制御盤とを具備し、前記室内機を工場内の各作業領域に設置し、前記室外機は各作業領域に設置された室内機の全部の冷暖房能力を合わせた値に見合う吸排熱能力よりも低い吸排熱能力のものとし、前記制御盤は前記人感センサーにより人の存在が検知されるとその検知順に該作業領域の室内機を人の存在が検知されなくなるまで運転させると共に、同時に複数の室内機が運転されることにより前記室外機の吸排熱能力が不足するおそれがあるときには前記人感センサーが人を検知しても当該室内機を停止状態に留めるよう制御することを特徴とした工場内スポット空調設備。
【請求項２】
室外機と室内機とを結ぶ冷媒配管を工場の床部に配設すると共に、各作業領域に室内機を適宜高さに支持するスタンドを設け、該室内機から略水平方向に冷暖気が吹き出されるようにしたことを特徴とする請求項１に記載の工場内スポット空調設備。
【発明の詳細な説明】
【技術分野】
【０００１】
本発明は、工場内の複数の作業領域に限定的に冷気または暖気を吹き出すことにより、工場内をスポット的に冷暖房する空調設備に関するものである。
【背景技術】
【０００２】
図５に従来から工場に設置されている空調設備を示す。図中、ａは工作機械等の設備機器、ｂはその作業者を示す。このように天井が高く広いスペースを有する工場では、天井に室内機ｃを吊下し、該室内機にフレキシブルホースからなる吹出口ｄを下向きに設け、該吹出口から冷暖気を吹き出して冷暖房するスポット空調方式が従来から採られている。
また、一般に空調設備の室外機は、室内機の冷暖房能力に見合うようにその吸排熱能力を設定するのが普通であった。
【０００３】
なお、下記特許文献１には、人のいる上部にエアカーテン吹出口を設けて冷暖気を下向きに吹き出すことにより、ゴルフ練習場のような広い場所に少数の人が点々と存在する場合に適した局所冷暖方法が記載されている。
【特許文献１】特開平９−１７０７９６号公報
【発明の開示】
【発明が解決しようとする課題】
【０００４】
ところで、上記空調設備では、作業者ｂの頭上からだけ冷暖気が当たるものであったので、効率的に冷暖ができないという問題があるほか、下向きに吹き出す冷暖気によって工場内の空気が攪拌され冷暖気が拡散し易いので冷暖房効果が得られ難いこと、および、天井部に室内機ｃ等の機器があるため視界が妨げられること等の問題があった。
また、一般に工場では限られた人数の作業者があちこちの作業領域に移動して作業することが多いが、従来の空調設備は常にそれらの作業領域に冷暖気を吹き出すものであったので、人のいない領域までも空調しているという無駄があった。
例えば、作業者が常時は３人しか居ないにもかかわらず作業領域が４つある場合はその４つの作業領域を同時に冷暖する能力のある空調設備（室内機および室外機）が設置され、運転されていたのでその設備コストおよび消費電力等のエネルギーの無駄が顕著であった。
本発明はこのような課題を解決しようとするものである。
【課題を解決するための手段】
【０００５】
上記課題を解決するために本発明に係る工場内スポット空調設備は、熱交換器と送風ファンとからなる複数の室内機と、該各室内機の吹出口の付近にそれぞれ設けた人感センサーと、該各室内機の熱交換器に冷媒を循環させる１台の室外機と、前記室内機および室外機の運転を制御する制御盤とを具備し、前記室内機を工場内の各作業領域に設置し、前記室外機は各作業領域に設置された室内機の全部の冷暖房能力を合わせた値に見合う吸排熱能力よりも低い吸排熱能力のものとし、前記制御盤は前記人感センサーにより人の存在が検知されるとその検知順に該作業領域の室内機を人の存在が検知されなくなるまで運転させると共に、同時に複数の室内機が運転されることにより前記室外機の吸排熱能力が不足するおそれがあるときには前記人感センサーが人を検知しても当該室内機を停止状態に留めるよう制御することを特徴とする。
このため、室外機の吸排熱能力が十分でないにもかかわらず、該室外機の過負荷が防止されると共に、運転中の室内機の冷暖能力の低下が防止される。
また、本発明は上記工場内スポット空調設備において、室外機と室内機とを結ぶ冷媒配管を工場の床部に配設すると共に、各作業領域に室内機を適宜高さに支持するスタンドを設け、該室内機から略水平方向に冷暖気が吹き出されるようにしたことを特徴とする。
このため、工場の天井部の視界を妨げることもなく、作業者の全身に側方から冷暖気が当てられるようになる。
【発明の効果】
【０００６】
本発明によれば、吸排熱能力の低い比較的小型の室外機を設置しても工場内の各作業領域を支障なく冷暖房することができ、設備コストが軽減されると共に、エネルギーの無駄な消費をなくし、低コストで効果的な冷暖房をすることができる。
【発明を実施するための最良の形態】
【０００７】
次に本発明の実施形態を常時３人の作業者が工場内の４つの作業領域を移動して作業する場合について説明する。図１は本発明に係る空調設備が設けられた工場の縦断面図、図２はその空調設備の室内機の斜視図、図３はその配管系統図である。図１に示したように、この工場の場合、４つの第１作業領域Ａ〜第４作業領域Ｄにそれぞれ工作機械等の設備機器１ａ〜１ｄが設置され、第１作業領域Ａに第１室内機２ａ、第２作業領域Ｂに第２室内機２ｂ、第３作業領域Ｃに第３室内機２ｃ、第４作業領域Ｄに第４室内機２ｄがそれぞれ設けられる。該各室内機２ａ〜２ｄは、熱交換器３ａ〜３ｄおよび送風ファン４ａ〜４ｄを内蔵しており、前面に吹出口５ａ〜５ｄが設けられている。そして、該各室内機２ａ〜２ｄを該各作業量域Ａ〜Ｄに樹立されたスタンド６ａ〜６ｄにより適宜高さに支持することにより、吹出口５ａ〜５ｄから略水平方向に冷暖気が吹き出て作業者に対し側方から冷暖気が吹き付けられるようにしている。また、該吹出口５ａ〜５ｄの付近にそれぞれ赤外線センサーまたは超音波センサー等からなる第１人感センサー７ａ〜第４人感センサー７ｄを設けている。
【０００８】
８は工場屋根上に設けられた室外機で、該室外機と各室内機２ａ〜２ｄとは冷媒配管９ａ，９ｂによって並列に連結される。なお、該冷媒配管９ａ，９ｂは、図２に示したように、電線１０と共に纏めて工場の床部に配設され、保護カバー１１によって覆うことにより通行の妨げとならないように配設される。１２は室内機２ａ〜２ｄおよび室外機８の運転を制御する制御盤である。なお、室外機８の吸排熱能力は、この場合３つの室内機を賄う程度の低い吸排熱能力のものであり、４つの室内機２ａ〜２ｄの冷暖房能力を合わせた値に見合う吸排熱能力は有していない。このため、室外機８の設備コストは４台分のものに比べて大幅に軽減される。
【０００９】
次に、図４のフローチャートに従い本発明に係る空調設備の作動を説明する。この空調設備においては、ステップ（ｅ１）にて第１人感センサー７ａにより人が検知されると、ステップ（ｆ１）にて運転中の室内機が３台以下であるかどうかが確認され、３台以下であった場合はステップ（ｇ１）にて制御盤１２より第１室内機２ａに運転指令が出され、第１室内機２ａはその指令に従い熱交換器３ａに設けられた電磁弁（図示せず）を開作動させ冷媒を該熱交換器３ａ中に循環させると共に、送風ファン４ａを回転させ、吹出口５ａより冷暖気を吹き出させる。また、ステップ（ｅ１）にて人が検知されなくなった場合はステップ（ｈ１）にて制御盤１２より第１室内機２ａに停止指令が出されて該第１室内機２ａの運転が直ちに停止される。なお、ステップ（ｆ１）においてすでに３台の室内機が運転中であった場合は、運転指令が出されることなく、たとえ第１人感センサー７ａが人を検知したとしても第１室内機２ａは停止状態のままに留められる。
【００１０】
また、ステップ（ｅ２）にて第２人感センサー７ｂにより人が検知されると、ステップ（ｆ２）にて運転中の室内機が３台以下であるかどうかが確認され、３台以下であった場合はステップ（ｇ２）にて制御盤１２より第２室内機２ｂに運転指令が出され、該室内機はその指令に従い電磁弁を開作動させ冷媒を該熱交換器中に循環させると共に、送風ファンを回転させ、吹出口５ｂより冷暖気を吹き出させる。また、ステップ（ｅ２）にて人が検知されなくなった場合はステップ（ｈ２）にて第２室内機２ｂに停止指令が出されその運転が停止される。なお、ステップ（ｆ２）においてすでに３台の室内機が運転中であった場合は、運転指令が出されることなく、たとえ第２人感センサー７ｂが人を検知したとしても第２室内機２ｂは停止状態のままに留められる。
【００１１】
同様にステップ（ｅ３），（ｅ４）にてもそれぞれ人感センサー７ｃ，７ｄにより人が検知されると、ステップ（ｆ３），（ｆ４）にて運転中の室内機が３台以下であるかどうかが確認され、３台以下であった場合はそれぞれステップ（ｇ３），（ｇ４）にて制御盤１２より第３室内機２ｃ，第４室内機２ｄに運転指令が出され、該各室内機はその指令に従い電磁弁を開作動させ冷媒を該熱交換器中に循環させると共に、送風ファンを回転させ、吹出口５ｃ，５ｄより冷暖気を吹き出させる。また、ステップ（ｅ３），（ｅ４）にて人が検知されなくなった場合はそれぞれステップ（ｈ３），（ｈ４）にて第３室内機２ｃ，第４室内機２ｄに停止指令が出されその運転が停止される。なお、ステップ（ｆ３），（ｆ４）においてすでに３台の室内機が運転中であった場合は、運転指令が出されることなく、たとえ人感センサー７ｃ，７ｄが人を検知したとしても第３室内機２ｃ，第４室内機２ｄは停止状態のままに留められる。
【００１２】
このように、この空調装置では人感センサーにより人の存在が検知されるとその検知順にその作業領域の室内機を作動させて冷暖気を吹き出すと共に人が検知されなくなるとその作業領域の室内機を停止させるので、エネルギーの無駄な消費をなくし、電力等のエネルギーコストを大幅に軽減させる。また、同時に複数の室内機が運転されることにより該室外機８の吸排熱能力が不足するおそれがあるときには人感センサーが人を検知しても当該室内機を停止状態に留めるよう制御することにより、室外機の過負荷が防止されると共に、運転中の室外機の冷暖能力の低下が防止される。従って、作業者数が予め決められることにより、室外機８を全部の室内機２ａ〜２ｄの冷暖房能力を合わせた値に見合う吸排熱能力よりも低い作業者数に応じた吸排熱能力のものにでき、このために室外機の設備コストを大幅に軽減することができると共に、常に効率的な冷暖房をすることができる。
【００１３】
また、この空調装置では、室内機を適宜高さに支持するスタンドを設け、該室内機から略水平方向に冷暖気が吹き出されるようにしたので、作業者の頭部だけでなく全身に冷暖気が吹き付けられ、所期の冷暖房効果を得ることができると共に、従来のように工場の天井部に室内機を設けた場合のような視界を妨げるおそれもない。
なお、この実施形態は４つの室内機を有した空調設備について説明したが、室内機の数は必要に応じて増減できることは言うまでもない。
【図面の簡単な説明】
【００１４】
【図１】本発明に係る空調設備が設けられた工場の縦断面図。
【図２】本発明に係る空調設備の室内機の斜視図。
【図３】本発明に係る空調設備の配管系統図。
【図４】本発明に係る空調設備のフローチャート。
【図５】従来の空調設備が設けられた工場の縦断面図。
【符号の説明】
【００１５】
Ａ〜Ｄ        作業領域
１ａ〜１ｄ    設備機器
２ａ〜２ｄ    室内機
３ａ〜３ｄ    熱交換器
４ａ〜４ｄ    送風ファン
５ａ〜５ｄ    吹出口
６ａ〜６ｄ    スタンド
７ａ〜７ｄ    人感センサー
８            室外機
９ａ，９ｂ    冷媒配管
１２          制御盤
【図１】
2008175507.tif 000003
【図２】
2008175507.tif 000004
【図３】
2008175507.tif 000005
【図４】
2008175507.tif 000006
【図５】
2008175507.tif 000007